【手続補正書】
【提出日】平成24年11月6日(2012.11.6)
【手続補正１】
【補正対象書類名】特許請求の範囲
【補正対象項目名】全文
【補正方法】変更
【補正の内容】
【特許請求の範囲】
【請求項１】
入力画像の階調ヒストグラムを作成する階調ヒストグラム作成手段と、
前記階調ヒストグラムにおける度数分布から、入力画像のコントラスト度合いを検出するコントラスト検出手段と、
入力画像を拡大または縮小する解像度変換処理を行う解像度変換手段と、
前記コントラスト度合い、および前記拡大または縮小の倍率に基づいて、入力階調と出力階調が対応付けされた階調補正カーブを決定する階調補正カーブ決定手段と、
前記決定された階調補正カーブにより、前記解像度変換手段により解像度変換処理された画像に対して階調補正を行う階調補正手段と、
を備えることを特徴とする画像処理装置。
【請求項２】
前記階調補正カーブ決定手段は、拡大または縮小の倍率に基づき求められる、解像度変換処理による画像の劣化を改善する必要性の大きさに関する劣化改善度合いに基づいて、前記階調補正カーブを決定することを特徴とする請求項１に記載の画像処理装置。
【請求項３】
前記階調補正カーブ決定手段は、前記階調ヒストグラムにおいて階調値の度数が大きければ大きいほど、入力階調に対して多くの出力階調が対応付けされるような第１のカーブを作成した後、前記コントラスト度合いと前記劣化改善度合いを用いて前記第１のカーブを変換して階調補正カーブを決定することを特徴とする請求項２に記載の画像処理装置。
【請求項４】
前記階調補正カーブ決定手段は、前記第１のカーブの入力階調と出力階調を反転して第２のカーブを作成し、前記第１のカーブおよび前記第２のカーブを用いた演算により階調補正カーブを決定するものであり、当該演算においては、前記コントラスト度合いが大きいほど、または前記劣化改善度合いが大きいほど、前記第２のカーブに近い階調補正カーブを決定することを特徴とする請求項３に記載の画像処理装置。
【請求項５】
前記コントラスト検出手段は、入力画像の画素が取りうる階調値を低い側と高い側に二分したとき、低い側に含まれる所定の範囲の階調値である低階調値を持つ画素の度数である低階調値度数と、高い側に含まれる所定の範囲の階調値である高階調値を持つ画素の度数である高階調値度数とを求め、前記低階調値度数および高階調値度数から、前記コントラスト度合いを検出することを特徴とする請求項１〜４のいずれか１項に記載の画像処理装
置。
【請求項６】
前記コントラスト検出手段は、入力画像の画素が取りうる階調値のうち最も低い値を含む所定の範囲の階調値を前記低階調値とし、画素が取りうる階調値のうち最も高い値を含む所定の範囲の階調値を前記高階調値とすることを特徴とする請求項５に記載の画像処理装置。
【請求項７】
前記コントラスト検出手段は、
前記階調ヒストグラムにおいて、画素が取りうる階調値のうち低い側に含まれる階調値の中で最大の度数を持つ階調値である低階調側最大度数階調を求め、当該低階調側最大度数階調の周囲の所定の範囲の階調値を前記低階調値とし、
高い側に含まれる階調値の中で最大の度数を持つ階調値である高階調側最大度数階調を求め、当該高階調側最大度数階調の周囲の所定の範囲の階調値を前記高階調値とすることを特徴とする請求項５に記載の画像処理装置。
【請求項８】
入力画像の階調ヒストグラムを作成する階調ヒストグラム作成ステップと、
前記階調ヒストグラムにおける度数分布から、入力画像のコントラスト度合いを検出するコントラスト検出ステップと、
入力画像を拡大または縮小する解像度変換処理を行う解像度変換ステップと、前記コントラスト度合い、および前記拡大または縮小の倍率に基づいて、入力階調と出力階調が対応付けされた階調補正カーブを決定する階調補正カーブ決定ステップと、
前記決定された階調補正カーブにより、前記解像度変換処理された画像に対して階調補正を行う階調補正ステップと、
を含むことを特徴とする画像処理方法。
【請求項９】
前記階調補正カーブ決定ステップでは、拡大または縮小の倍率に基づき求められる、解像度変換処理による画像の劣化を改善する必要性の大きさに関する劣化改善度合いに基づいて、前記階調補正カーブを決定することを特徴とする請求項８に記載の画像処理方法。
【請求項１０】
前記階調補正カーブ決定ステップでは、前記階調ヒストグラムにおいて階調値の度数が大きければ大きいほど、入力階調に対して多くの出力階調が対応付けされるような第１のカーブを作成した後、前記コントラスト度合いと前記劣化改善度合いを用いて前記第１のカーブを変換して階調補正カーブを決定することを特徴とする請求項９に記載の画像処理方法。
【請求項１１】
前記階調補正カーブ決定ステップでは、前記第１のカーブの入力階調と出力階調を反転して第２のカーブを作成し、前記第１のカーブおよび前記第２のカーブを用いた演算により階調補正カーブを決定するものであり、当該演算においては、前記コントラスト度合いが大きいほど、または前記劣化改善度合いが大きいほど、前記第２のカーブに近い階調補正カーブを決定することを特徴とする請求項１０に記載の画像処理方法。
【請求項１２】
前記コントラスト検出ステップでは、入力画像の画素が取りうる階調値を低い側と高い側に二分したとき、低い側に含まれる所定の範囲の階調値である低階調値を持つ画素の度数である低階調値度数と、高い側に含まれる所定の範囲の階調値である高階調値を持つ画素の度数である高階調値度数とを求め、前記低階調値度数および高階調値度数から、前記コントラスト度合いを検出することを特徴とする請求項８〜１１のいずれか１項に記載の画像処理方法。
【請求項１３】
前記コントラスト検出ステップでは、入力画像の画素が取りうる階調値のうち最も低い値を含む所定の範囲の階調値を前記低階調値とし、画素が取りうる階調値のうち最も高い値
を含む所定の範囲の階調値を前記高階調値とすることを特徴とする請求項１２に記載の画像処理方法。
【請求項１４】
前記コントラスト検出ステップでは、
前記階調ヒストグラムにおいて、画素が取りうる階調値のうち低い側に含まれる階調値の中で最大の度数を持つ階調値である低階調側最大度数階調を求め、当該低階調側最大度数階調の周囲の所定の範囲の階調値を前記低階調値とし、
高い側に含まれる階調値の中で最大の度数を持つ階調値である高階調側最大度数階調を求め、当該高階調側最大度数階調の周囲の所定の範囲の階調値を前記高階調値とすることを特徴とする請求項１２に記載の画像処理方法。
【手続補正２】
【補正対象書類名】明細書
【補正対象項目名】０００９
【補正方法】変更
【補正の内容】
【０００９】
上述した課題を解決するために、本発明は以下の構成を採用する。すなわち、入力画像の階調ヒストグラムを作成する階調ヒストグラム作成手段と、前記階調ヒストグラムにおける度数分布から、入力画像のコントラスト度合いを検出するコントラスト検出手段と、入力画像を拡大または縮小する解像度変換処理を行う解像度変換手段と、前記コントラスト度合い、および前記拡大または縮小の倍率に基づいて、入力階調と出力階調が対応付けされた階調補正カーブを決定する階調補正カーブ決定手段と、前記決定された階調補正カーブにより、前記解像度変換手段により解像度変換処理された画像に対して階調補正を行う階調補正手段と、を備えることを特徴とする画像処理装置である。
【手続補正３】
【補正対象書類名】明細書
【補正対象項目名】００１０
【補正方法】変更
【補正の内容】
【００１０】
本発明はまた、以下の構成を採用する。すなわち、入力画像の階調ヒストグラムを作成する階調ヒストグラム作成ステップと、前記階調ヒストグラムにおける度数分布から、入力画像のコントラスト度合いを検出するコントラスト検出ステップと、入力画像を拡大または縮小する解像度変換処理を行う解像度変換ステップと、前記コントラスト度合い、および前記拡大または縮小の倍率に基づいて、入力階調と出力階調が対応付けされた階調補正カーブを決定する階調補正カーブ決定ステップと、前記決定された階調補正カーブにより、前記解像度変換処理された画像に対して階調補正を行う階調補正ステップと、を含むことを特徴とする画像処理方法である。